(57)【要約】【課題】  軽量、安価な複層パネルと、建築物に容易に固定できて、固定状態が安定している複層パネルの取付構造を提供する。【解決手段】  複層パネルである無機壁面材１０は、芯材である石膏ボード１１の表面側に表面側金属板１２が貼設され、石膏ボード１１の裏面側に、樹脂シートとしてポリエチレン合成紙１３が貼設されている。石膏ボード１１の側端面１１ｃ近傍で、ポリエチレン合成紙１３の裏面側１３ａには、この無機壁面材１０を、建築物のスタッドＳ，Ｓに取り付けるリベット１５等の取付金具を挿通する補強プレート部材１４が設けられている。補強プレート部材は、左、右一対設けられていると好ましい。この補強プレート部材１４は、石膏ボードの側端面を覆うように、一体に屈曲形成された断面Ｌ字型に形成されていると好ましい。【選択図】  図２
2006299519.tif 000002
【特許請求の範囲】
【請求項１】
平板状の芯材の表面側に金属板を貼設すると共に、該芯材の裏面側に、樹脂シートまたは樹脂板を貼設した複層パネルであって、
該複層パネルの側端面近傍で、前記樹脂シートまたは樹脂板の裏面側には、該複層パネルを取り付ける取付金具を挿通する補強プレート部材が設けられていることを特徴とする複層パネル。
【請求項２】
前記補強プレート部材は、前記芯材の側端面を覆うように、一体に屈曲形成された断面Ｌ字型に形成されていることを特徴とする請求項１記載の複層パネル。
【請求項３】
前記表面側の金属板は、前記芯材の表面側から側端面を経由して補強プレート部材の裏面側に亘って、一体に屈曲形成されることにより、前記補強プレート部材の裏面側を被覆する被覆部が形成されていることを特徴とする請求項１又は２記載の複層パネル。
【請求項４】
前記表面側の金属板は、前記芯材の表面側から側端面を覆うように、一体に屈曲形成されることを特徴とする請求項１又は２記載の複層パネル。
【請求項５】
請求項１〜４のいずれかに記載の複層パネルの建築物への取付構造であって、
建築物側から突設される取付金具を、前記複層パネルの補強プレート部材を介して挿通させて前記建築物に固定することを特徴とする複層パネルの取付構造。
【発明の詳細な説明】
【技術分野】
【０００１】
この発明は、所定の強度を有する石膏ボード等、無機芯材の表面を金属製材料で被覆する複層パネル及び複層パネルの取付構造に係り、特に、軽量で変形を防止できる複層パネル及び複層パネルの取付構造に関するものである。
【背景技術】
【０００２】
従来、図５に示すような複層パネルを構成する高強度石膏ボードが、知られている（例えば、特許文献１等参照）。この高強度石膏ボードは、板状の石膏芯材１と、この石膏芯材の全表面を覆うように強く密着したボード用紙（表紙２、裏紙３）と、石膏ボードの少なくとも一部を覆うように強く接着された金属箔４とから成るものである。
【０００３】
このように構成された従来の高強度石膏ボードでは、表裏全面にこれらの表紙２及び裏紙３を包むように、強く接着された金属箔４が、曲げ破壊強度を向上させるので、利用できる用途が増大している。また、石膏ボードの金属箔４によって、磁性、静電気防止、電磁波シールド及び耐火性等を向上させることができる。
【特許文献１】実公平６−３６１１７号公報
【発明の開示】
【発明が解決しようとする課題】
【０００４】
例えば、高強度石膏ボードの裏面側に設けられる金属箔４部分を厚く形成して、金属製板部材とすることにより、裏面側から、この金属製部材を貫通等するリベットで、建築物の外壁部又は内壁部等に、この石膏ボードを固定させることができる。
【０００５】
しかしながら、このような従来の石膏ボードでは、金属箔４全面を、厚みを有する金属製板部材として形成すると、重量が増大すると共に、原材料費が増大して、製造コストの上昇を抑制できないといった問題があった。
【０００６】
本発明は、このような問題に鑑みてなされたものであって、その目的とするところは、建築物に容易に固定できて、軽量、安価な複層パネルを提供することにある。また、前記の複層パネルを建築物等に容易に固定でき、固定状態が安定している取付構造を提供することにある。
【課題を解決するための手段】
【０００７】
前記目的を達成するために、請求項１に記載された発明の複層パネルは、平板状の芯材の表面側に金属板を貼設すると共に、該芯材の裏面側に、樹脂シートまたは樹脂板を貼設した複層パネルであって、芯材の側端面近傍で、前記樹脂シートまたは樹脂板の裏面側には、該複層パネルを取り付ける取付金具を挿通する補強プレート部材が設けられていることを特徴としている。
【０００８】
また、請求項２に記載された発明の複層パネルでは、前記補強プレート部材は、前記芯材の側端面を覆うように、一体に屈曲形成された断面Ｌ字型に形成されていることを特徴としている。
【０００９】
さらに、請求項３に記載された発明の複層パネルでは、前記表面側の金属板は、前記芯材の表面側から側端面を経由して補強プレート部材の裏面側に亘って、一体に屈曲形成されることにより、前記補強プレート部材の裏面側を被覆する被覆部が形成されていることを特徴としている。
【００１０】
請求項４に記載された発明の複層パネルでは、前記表面側の金属板は、前記芯材の表面側から側端面を覆うように、一体に屈曲形成されることを特徴としている。すなわち、表面側金属板は芯材の表面から側端面まで覆うように構成され、裏面側までは覆わない構成となっている。
【００１１】
そして、請求項５に記載された発明の複層パネルの建築物への取付構造は、前記したいずれかに記載の複層パネルの取付構造であって、建築物側から突設される取付金具を、複層パネルの補強プレート部材を介して挿通させて建築物に固定する請求項１〜４のいずれかに記載の複層パネルの取付構造を特徴としている。
【発明の効果】
【００１２】
このように構成された請求項１記載の複層パネルは、前記補強プレート部材が、複層パネルの側端面近傍で、樹脂シートまたは樹脂板の裏面側に設けられているので、該補強プレート部材に、該複層パネルを取り付ける取付金具が挿通されて複層パネルを建築物に支持させることが可能である。このため、建築物に、複層パネルを容易に固定できる。また、芯材の全周を金属箔で覆う必要が無く、金属箔を厚くして金属板材とする場合と比較して、金属板材の材料面積が減少し、軽量で、しかも、安価な複層パネルが提供される。さらに、芯材の表面側には金属板が貼設され、芯材の裏面側には樹脂シートまたは樹脂板が貼設されているため、表裏両面を金属板で覆う場合より軽量化が図れる。
【００１３】
また、請求項２に記載された複層パネルは、前記請求項１記載の作用効果に加えて、さらに、補強プレート部材が、一体に屈曲形成された断面Ｌ字型に形成されているので、芯材の側端面を覆うように装着する際に、位置決め精度を良好なものとすることができる。さらに、補強プレート部材によって、芯材の側端面が覆われて補強されるため、複層パネルの強度を高めることができ、取付状態が安定する。
【００１４】
さらに、請求項３に記載された複層パネルは、前記表面側の金属板の被覆部が、芯材の表面側から側端面を経由して側端面の裏面側に亘って、一体に屈曲形成されている。このため、側端面近傍に設けられた補強プレート部材が、該表面側金属板によって一体として覆われるので、さらに、外観品質が良好となるとともに、防水性にも優れた複層パネルとすることができる。
【００１５】
そして、請求項４に記載された複層パネルは、前記表面側の金属板の被覆部が、芯材の表面側から側端面を覆うように、一体に屈曲形成されている。このため、側端面近傍に設けられた補強プレート部材の側端面が、該表面側金属板によって一体として覆われるので、さらに、外観品質が良好となる。この複層パネルの場合は、表面側の金属板のサイズを小さくすることができ、軽量化を図れる。
【００１６】
請求項５に記載された複層パネルの取付構造は、前記したいずれかに記載の複層パネルの建築物への取付構造であって、建築物側から突設される取付金具を、複層パネルの補強プレート部材を介して前記建築物に固定することを特徴とする。補強プレート部材にリベット孔等の取付孔が形成されている場合は、リベット孔に取付金具を挿通させて複層パネルを建築物に固定する。このため、リベットや止めねじ等の取付金具を用いて、この複層パネルを建築物に容易に固定でき、固定状態が安定しており、軽量、安価な複層パネルの取付構造が提供される。
【発明を実施するための最良の形態】
【００１７】
［第１の実施形態］
以下、本発明に係る複層パネルと、この複層パネルを建築物等に固定する取付構造の第１の実施形態を図面に基づき詳細に説明する。図１は、第１の実施形態に係る複層パネルの要部の断面図、図２は、図１の複層パネルを建築物に取り付ける動作状態を示す水平方向の要部断面図、図３は図１の複層パネルを建築物に固定した状態の水平方向の要部断面図である。
【００１８】
図１〜３は、この発明の第１の実施形態の複層パネルとしての無機壁面材１０を示すものである。この実施形態の無機壁面材１０は、建築物の外壁部若しくは、内壁部に設けられて、一定間隔で配置されるスタッドＳ，Ｓ間に装着される複層パネルとして使用される。
【００１９】
この実施形態の無機壁面材１０には、平板状の芯材としての石膏ボード１１が設けられている。この石膏ボード１１は、所定の厚みａ（この実施形態では、ａ＝１２．５ｍｍ）を有しており、横幅方向寸法を、隣接配置されるスタッドＳ，Ｓ間に、装着される際に、両側端面近傍の裏面側が、一定長さｂで各々のスタッドＳの表面部Ｓａと重複するように構成されている。
【００２０】
この石膏ボード１１には、表面側１１ａに表面側金属板１２が接着剤にて貼設されている。この表面側金属板１２は、一定の厚みｃ（第１の実施形態では、ｃ＝０．２ｍｍ）を有して、折曲可能に構成されている。表面側金属板１２は、亜鉛鉄板、塗装鋼板、ステンレス鋼板、アルミニウム板等の適宜の板材を使用できるが、防錆等の耐久性を考慮すると、ステンレス鋼板やアルミニウム板が好適である。
【００２１】
また、この石膏ボード１１の裏面側１１ｂには、樹脂シートとしてポリエチレン合成紙１３が接着剤にて貼設されている。この第１の実施形態のポリエチレン合成紙１３は、一定の厚みｄ（第１の実施形態では、ｄ＝０．２７ｍｍ）を有して、石膏ボード１１の裏面側１１ｂ略全面に亘り覆うように貼設されている。樹脂シートの代わりに、厚さが２ｍｍ程度のポリエチレンボード等の樹脂板材を使用してもよい。このように、石膏ボード１１の表面には金属板を、裏面には樹脂シートまたは樹脂板を貼設することにより、両面に金属板を貼設する場合と比較して、より軽量化が図れる。
【００２２】
そして、石膏ボード１１の側端面１１ｃ近傍で、ポリエチレン合成紙１３の裏面側１３ａには、この石膏ボード１１を、支持可能とする補強プレート部材１４が、左、右一対設けられ接着剤にて貼設されている。この補強プレート部材１４は、パネルの上、下方向（紙面と直交する方向）に沿って長手方向とされた長尺薄板状に形成され、金属板材で構成されていて、所定の厚みｅ（この第１の実施形態では、ｅ＝１．０ｍｍ）を有している。補強プレート部材１４は、図示していないが、長方形状の無機壁面材１０の左右の２辺に沿って一対が貼設されるが、上下左右の４辺に沿って貼設するとさらに好ましい。
【００２３】
石膏ボード１１に表面側金属板１２、ポリエチレン合成紙１３及び補強プレート部材１４を貼設する接着剤としては、エポキシ系の接着剤やウレタン系の接着剤等、適宜のものを使用できるが、防水性を有する接着剤を使用することが好ましい。また、接着後に弾力性を有するものがより好ましい。
【００２４】
この補強プレート部材１４には、建築物のスタッドＳを通して取付金具としてのリベット１５が挿通されることにより、無機壁面材１０をスタッドＳに固定することができる挿通孔１４ａが形成されている。補強プレート部材１４は、無機壁面材１０を支持固定する強度を有する板材から形成されるが、所定の強度を有する金属板材が好ましく、金属板材としては、屈曲形成した鋼板やアルミニウム板材が好適である。
【００２５】
さらに、この第１の実施形態では、前記表面側金属板１２の被覆部１２ａが、石膏ボード１１の表面側１１ａから側端面１１ｃを経由して補強プレート部材１４の裏面側１４ｂに亘って、一体に屈曲形成されており、裏面側に位置する補強プレート部材１４の裏面を覆っている。この被覆部１２ａの幅ｆは、図２に示すように、補強プレート部材１４の裏面を全て覆うように、前記スタッドＳの表面部Ｓａと重複される一定長さｂよりも大きな寸法（ｆ≧ｂ）に設定されている。
【００２６】
この第１の実施形態では、図２に示すように、建物等の建築物に一定間隔で配置されるスタッドＳ，Ｓ間に、複層パネルとしての無機壁面材１０が装着される際、前記建築物のスタッドＳの表面部Ｓａに開口形成されたリベット孔Ｓｂの裏面側から、リベット１５の頭部１５ａが挿通されると共に、このリベット１５のフランジ部１５ｂが、リベット孔Ｓｂの開口周縁部に当接して係止される位置まで挿入される。
【００２７】
この状態で、突設されるリベット１５の頭部１５ａを前記被覆部１２ａに開口形成されたリベット挿通開口１２ｂから、ポリエチレン合成紙１３のリベット係止孔１３ｂ内に挿通し、前記石膏ボード１１に形成された空隙１１ｄの内側に、頭部１５ａが挿入される。そして、この状態で、図３に示すように、リベット１５のピン１５ｃを引き抜くと、頭部１５ａに圧縮押圧されて、筒状の胴部１５ｄが、扁平形状に潰れて、リベット係止孔１３ｂの周縁部に係止される。
【００２８】
このため、このリベット１５によって、無機壁面材１０に設けられた補強プレート部材１４が挿通されて、表面側金属板１２の被覆部１２ａ及びポリエチレン合成紙１３と共に、係着されることにより、建築物のスタッドＳに、この無機壁面材１０が補強プレート部材１４を介して安定した状態で固定される。すなわち、無機壁面材１０は所定の強度を有する補強プレート部材１４が側端面近傍に貼設されており、この補強プレート部材を介して固定されるため固定状態が安定する。このように、リベット１５や取付ビス等の取付金具を用いて、建築物に容易に、この無機壁面材１０が固定されて、軽量、安価な複層パネル及び複層パネルの取付構造が提供される。
［第２の実施形態］
つぎに、本発明の複層パネルの第２の実施形態について説明する。図４は、この発明の第２の実施形態の側端面近傍の水平方向の要部断面図を示している。図４は第２の実施形態の複層パネルとしての無機壁面材２０を示すものである。なお、前記の第１の実施形態に記載された無機壁面材１０と実質的に同等な構成については、同一符号を付して説明を省略する。
【００２９】
この第２の実施形態の無機壁面材２０では、前記補強プレート部材１４と同様に、この無機壁面材２０を、建築物の壁面に支持固定する補強プレート部材２４が設けられている。この補強プレート部材２４は、芯材としての石膏ボード１１の側端面１１ｃを覆うように、裏面部２４ａから一体に屈曲されて形成された側端面補強部２４ｂが設けられて、断面Ｌ字型に形成されている。そして、補強プレート部材２４の側端面補強部２４ｂは、芯材である石膏ボード１１と表面側金属板１２との間に形成された空隙部２５内に位置している。
【００３０】
補強プレート部材２４は前記の補強プレート部材１４と同様に、無機壁面材を支持するに足る強度を有しており、ポリエチレン合成紙１３の裏面側に貼設され、リベット１５が挿通される挿通孔２４ｃが形成されている。この断面がＬ字型の補強プレート部材２４は、長方形状の無機壁面材２０の２辺に沿って貼設されることが好ましいが、４辺に沿って貼設されるとより好ましい。
【００３１】
この第２の実施形態では、表面側金属板１２は石膏ボード１１の表面側から側端面を覆うように、一体に屈曲形成されている。すなわち、表面側金属板１２は、芯材である石膏ボード１１の表面側と側端面とを一体的に覆い、側端面側を覆う覆い部１２ｃが形成され、補強プレート部材２４の裏面を覆っていない構成となっている。
【００３２】
この第２の実施形態では、前記第１の実施形態の作用効果に加えて、さらに、前記補強プレート部材２４が、前記裏面部２４ａから一体に屈曲形成された断面Ｌ字型に形成されている側端面補強部２４ｂを有しているため、前記石膏ボード１１の側端面１１ｃが側端面補強部２４ｂによって覆われて補強され、無機壁面材２０の強度がさらに向上しているため、建築物に固定されたとき、より固定状態が安定する。
【００３３】
また、補強プレート部材２４の側端面補強部２４ｂが位置する前記の空隙部２５内が無く、Ｌ字型のコーナと石膏ボード１１とが密接するように構成してもよく、この場合には、石膏ボード１１の側端面１１ｃを覆うように補強プレート部材２４を装着する際に、側端面１１ｃの裏面側に形成される出隅コーナ部に、裏面部２４ａから一体に屈曲形成され断面Ｌ字型に形成されている側端面補強部２４ｂによって構成される補強プレート部材２４の入隅コーナ部が、合わせられて一致する。したがって、位置決め精度を良好なものとすることができる。
【００３４】
第２の実施形態では、表面金属板１２が補強プレート部材２４の裏面を覆っていないため、建築物のスタッドＳ，Ｓに固定したあとの防水性を考慮して、空隙部２５や補強プレート部材２４の周辺の隙間にシーリング材や、その他のバックアップ材を挿入することが好ましい。このように防水処理を施すことで、無機壁面材２０の耐久性を大幅に向上させることができる。
【００３５】
以上、図面を参照して、本発明の第１及び第２の実施形態について詳述したが、本発明は前記の実施形態に限定されるものではなく、特許請求の範囲に記載された本発明の精神を逸脱しない範囲で、種々の設計変更を行うことができるものである。例えば、芯材として石膏ボードの例を示したが、これに限られるものでなく、軽量気泡コンクリート（ＡＬＣ）板やセラミック板等を使用してもよい。取付金具としてリベットの例を示したが、リベットの代わりに螺子や、タッピングビス等、適宜のものを使用できる。
【００３６】
また、前記第１の実施形態では、補強プレート部材１４として、長尺薄板状の鋼材を用いたものを示して説明してきたが、特にこれに限らず、例えば、他の樹脂、金属等によって構成されるもの、間隔をおいて配置される短尺のもの等、前記芯材の側端面近傍で、樹脂シートまたは樹脂板の裏面側に設けられるものであればよい。また、補強プレート部材は、本発明の複層パネルを取り付ける取付金具が挿通されて支持させることが可能なものであるならば、どのような形状でもよく、数量、材質等は、どのようなものであってもよい。
【産業上の利用可能性】
【００３７】
本発明の活用例として、複層パネルを用いて住宅等の建物の外壁材だけでなく、内装材としても使用することができ、装飾を施した表面側金属板を取り付けることによって室内で用いられる内装材の用途にも適用できる。
【図面の簡単な説明】
【００３８】
【図１】この発明に係る複層パネルの第１の実施形態を示す側端面近傍の水平方向の要部断面図。
【図２】図１の複層パネルを建築物側のスタッドに取り付ける動作状態を示す水平方向の要部断面図。
【図３】図１の複層パネルを建築物側のスタッドに取り付けた状態を示す水平方向の要部断面図。
【図４】この発明に係る複層パネルの第２の実施形態を示す側端面近傍の水平方向の要部断面図。
【図５】従来例の複層パネルを示す水平方向断面図。
【符号の説明】
【００３９】
１０，２０：無機壁面材（複層パネル）、１１：石膏ボード（平板状の芯材）、１１ａ：表面側、１１ｂ：裏面側、１１ｃ：側端面、１２：表面側金属板、１２ａ：被覆部、１３：ポリエチレン合成紙（樹脂シート）、１３ａ：裏面側、１４，２４：補強プレート部材、１４ａ，２４ｃ：挿通孔、１５：リベット（取付金具）、２４ａ：裏面部、２４ｂ：側端面補強部、Ｓ：スタッド（建築物）
【図１】
2006299519.tif 000003
【図２】
2006299519.tif 000004
【図３】
2006299519.tif 000005
【図４】
2006299519.tif 000006
【図５】
2006299519.tif 000007